(57)【要約】  耐水性を有する押し出しフィラメントとキャストとスリーブが適用される四肢の間の単一層にクッション性と湿気移動を提供するのに十分な厚さで形成されるチューブ状シート素材を含む耐水性整形外科用アンダーキャストスリーブである。耐水特性は、耐水特性は、押し出し中にフィラメントに適用される耐水フィラー、フィニッシュ又はコーティング、又は押し出し中に耐水性フィニッシュをフィニッシュに適用し、続くスピニング工程中にフィラメントに耐水性フィニッシュを適用し、又は別の工程で耐水性フィニッシュを有するフィラメントをコーティングすることで構成される少なくとも１つの工程によって獲得される。湿気排出チャンネルは、スリーブの長さに長手方向に沿って、及びスリーブとキャストの間のスペースから外に向かって四肢から湿気を排出するためにシート素材に形成され、  シート素材を覆うキャストの適用後に湿気排出チャンネルを維持するために圧縮に対して十分な抵抗を有するシート素材を有する。
2009501564.tif 000002
【特許請求の範囲】
【請求項１】
耐水性の整形外科用アンダーキャストスリーブであって、
（ａ）耐水特性を有する押し出しフィラメントで形成され、キャスト、及びスリーブが適用される四肢との間の単一層にクッション性及び湿気移動の両方を提供するため十分な厚さで形成され、
耐水特性は押し出し中にフィラメントに適用された耐水フィラー、フィニッシュ又はコーティング、押し出し中にフィラメントに適用された耐水フィニッシュ、後のスピニング工程中にフィラメントに適用された耐水フィニッシュ、又は分工程で耐水性を有するフィラメントに適用された耐水コーティングで構成された群から選択された素材に起因するチューブ状シート素材と、
（ｂ）スリーブの長さに長手方向に沿って、及びスリーブとキャストの間のスペースから外に向かって四肢から湿気を排出するためにシート素材に形成され、
シート素材を覆うキャストの適用後に湿気排出チャンネルを維持するために圧縮に対して十分な抵抗を有するシート素材を有する湿気排出チャンネルと、
からなる耐水性の整形外科アンダーキャストスリーブ。
【請求項２】
耐水性フィニッシュコーティングは、ワックス、フルオロケミカル又はナノコーティングで構成されている請求項１記載の耐水性の成型外科用アンダーキャストスリーブ。
【請求項３】
チューブ状のシート素材は、相互接続している糸、縫製、接着又は超音波溶接で構成される群から選択される連結によって接合される別々で、間隔の開いた頂部及び底部層を有するチューブ状の編布で構成されている請求項１記載の耐水性の整形外科用アンダーキャストスリーブ。
【請求項４】
チューブ状のシート素材は、チューブ状の不織布で構成されている請求項１又は２記載の耐水性の整形外科用アンダーキャストスリーブ。
【請求項５】
チューブ状のシート素材は、チューブ状のオープンセル発泡体で構成されている請求項１又は２記載の耐水性の整形外科用アンダーキャストスリーブ。
【請求項６】
チューブ状の編布は、必要なだけロールから切断され、四肢への複数の適用に適切な長さを得るため、十分な長さの細長いロールに形成されている請求項１又は２に記載の耐水性の整形外科用アンダーキャストスリーブ。
【請求項７】
チューブ状の編布は、あらかじめ決められた大きさ及び長さの四肢に適用するため、適切な長さにプレカットされて提供される請求項１又は２に記載の耐水性の整形外科用アンダーキャストスリーブ。
【請求項８】
チューブ状の編布は、ポリエステル及びポリプロピレンで構成される群から選択される湿気の回復性能の低い疎水性ファイバーで構成されている請求項１記載の耐水性の整形外科用アンダーキャストスリーブ。
【請求項９】
チューブ状の編布の構造は、シングルニットリブ構造及びダブルニットリブ構造で構成される群から選択される請求項１記載の耐水性の整形外科用アンダーキャストスリーブ。
【請求項１０】
チューブ状の編布は、リブがスリーブの長さに沿って長手方向に延長しているリブニット構造で構成されている請求項１記載の耐水性の整形外科用アンダーキャストスリーブ。
【請求項１１】
スリーブは、疎水性、低フィラメント、少なくとも１０本のフィラメントを有し、トータルで５０から２０００の間のデニールを有するマルチフィラメント糸から編まれている請求項１記載の耐水性の整形外科用アンダーキャストスリーブ。
【請求項１２】
スリーブは、疎水性、低フィラメント、少なくとも１０本のフィラメントを有し、トータルで５００から１５００の間のデニールを有するマルチフィラメント糸から編まれている請求項１記載の耐水性の整形外科用アンダーキャストスリーブ。
【請求項１３】
スリーブは、疎水性、低フィラメント、少なくとも１０本のフィラメントを有し、トータルで５００から２０００の間のデニールを有するマルチフィラメント糸で形成された２×２リブニットである請求項１記載の耐水性の整形外科用アンダーキャストスリーブ。
【請求項１４】
（ａ）耐水特性を有する押し出しフィラメントと、スリーブが適用されるキャストと四肢の間の単一層でクッション性と湿気移動の両方を提供するのに十分な厚さで形成されるチューブ状シート素材であって、
チューブ状シート素材は、相互接続した糸、縫製、接着又は超音波溶接で構成される群から選択される接続によって別の間隔の有した頂部及び底部層を有するチューブ状の編布で構成され、
さらに、耐水特性は、押し出し中にフィラメントに適用される耐水フィラー、フィニッシュ又はコーティング、又は押し出し中に耐水性フィニッシュをフィニッシュに適用し、続くスピニング工程中にフィラメントに耐水性フィニッシュを適用し、又は別の工程で耐水性フィニッシュを有するフィラメントをコーティングすることで構成される少なくとも１つの工程によって獲得され、
耐水性フィニッシュコーティングはワックス、フルオロケミカル又はナノコーティングで構成されるチューブ状シート素材と、
（ｂ）スリーブの長さに長手方向に沿って、及びスリーブとキャストの間のスペースから外に向かって四肢から湿気を排出するためにシート素材に形成され、
シート素材を覆うキャストの適用後に湿気排出チャンネルを維持するために圧縮に対して十分な抵抗を有するシート素材を有する湿気排出チャンネルと、
からなる耐水性の整形外科アンダーキャストスリーブ。
【発明の詳細な説明】
【技術分野】
【０００１】
本発明は、耐水性（water-resistant)アンダーキャストスリーブ（undercast sleeve)に関する。
【背景技術】
【０００２】
本発明において、用語「メリヤス地（stockinette)」は、肌に直接適用される先行技術の構造を参照するのに使用される。従来のキャスト（ギブス）固定方法は、まず、メリヤス地が患者の肌に対して直接取り付けることによって負傷した四肢に適用されている。メリヤス地は、一般的に、四肢に適合するように十分な伸縮性を有し、肌に不快感や擦り傷を引き起こす可能性のあるしわ、重なり、ひだなしに四肢の様々な形状、輪郭及び寸法に近く一致するように薄い環状のニット製品に形成されている。
【０００３】
そして、キャストテープの適用前に、パッドが負傷した四肢のメリヤスを覆うように適用される。パッドは肌及びキャストテープの間にクッション及びスペースを提供し、骨突起を保護し、さらに患者の快適性に貢献する。メリヤス及びパッドは一体となって、治療中に重なりあっているキャストテープが四肢を固定するために必要な支持及び剛性を提供している間、四肢に保護を与えるシステムを形成する。
【０００４】
しかしながら、従来のメリヤス及びパッドシステムは発汗及び／又は湿気に耐性がない。そのため、湿気は臭気を発する可能性があり、装着することが不快となる。これは、肌の炎症及び浸軟を高い確率で発生させ、多くの事例において、除去及び他の医療的に効果的なギブスへの交換が必要となりうる。こうした要因は昔から、何が骨折に対する医学的に信頼でき、コスト効率のよい処置方法であるか及び他の四肢の拡張した固定を必要とする状態であるかに関して、主要な不満として提供されてきた。
【０００５】
本出願に記載された発明は、アンダーキャストスリーブを開示するものであり、従来のメリヤス及びパッドの両方に置き換わるであろうものである。十分なレベルのクッション性を提供することに加え、このスリーブは撥水性を有し、濡れたときに迅速に乾燥する。本発明の耐水性スリーブは、患者により自由な状態を提供することを目的とし、日々の所定の活動をとても容易に遂行するのに役立つ。類似の努力が、過去にＵＳ５５４０９６４号及びＷＯ２００５／００４７６５号に記述されているように、耐水性アンダーキャストスリーブを改善するために行われてきた。しかしながら、成功した産業製品とする努力はなされなかった。
【０００６】
’９６４特許は、塗布した親水性フィニッシュを有する親水性ファイバーを使用して構成されたスリーブを開示する。列挙されている原理は、肌から湿気を毛管作用で追い出すことである。しかし、キャスト素材それ自体は、空気と湿気の移動両方に対して比較的不浸透性であるので、毛管作用が、湿気を重ねられているパッド及びキャスト素材に移動させ、パッド内及びキャストの構造内に蓄積させる。
【０００７】
ＷＯ’７６５公報は、肌から湿気を毛管作用で排出するためにマイクロデニールファイバーを使用したスリーブを開示する。しかし、この製品は、’９６４特許と同様の理由により、効果が証明されていない。
【０００８】
親水性商品を用いて湿気滞留の問題を解決しようとする先行技術の試みと対比して、出願人は、ファイバー構造及びファイバー技術の組み合わせを利用して、肌から湿気を排出するために疎水性の素材を利用する手段を発明した。
【発明の開示】
【０００９】
それゆえ、本発明の目的は、従来のメリヤスとアンダーキャストパッドシステムの両方に置き換わる単一製品を提供することである。
【００１０】
本発明の他の目的は、湿気の蓄積及び滞留に耐性のあるスリーブを提供することである。
【００１１】
本発明の他の目的は、濡れたときに迅速に乾燥するスリーブを提供することである。
【００１２】
本発明の他の目的は、様々な素材から加工されうるスリーブを提供することである。
【００１３】
本発明の他の目的は、石膏及び合成キャスティング素材を使用されうるスリーブを提供することである。
【００１４】
これら及び他の目的及び有利な点は、耐水性整形外科用アンダーキャストスリーブを提供することによって獲得される。その構成は、耐水特性を有する押し出しフィラメントで形成され、キャスト、及びスリーブが適用される四肢との間の単一層にクッション性及び湿気移動の両方を提供するため十分な厚さで形成されたチューブ状のシートで構成される。耐水特性は押し出し中にフィラメントに適用された耐水フィラー、フィニッシュ又はコーティング、押し出し中にフィラメントに適用された耐水フィニッシュ、後のスピニング工程中にフィラメントに適用された耐水フィニッシュ、又は分工程で耐水性を有するフィラメントに適用された耐水コーティングで構成された群から選択された素材によってもたらされる。湿気排出チャンネルは、スリーブの長さに沿って長さ方向に、及びスリーブとキャストの間のスペースから外に、四肢から湿気を排出するためにシート素材に形成される。シート素材は、覆うキャストの適用の後に湿気排出チャンネルを維持するために圧縮に十分な抵抗を有するシート素材を有する。
【００１５】
本発明の好適な実施形態によれば、耐水性フィニッシュコーティングはワックス、フルオロケミカル、ナノコーティングで構成される。
【００１６】
本発明の好適な実施形態によれば、チューブ状のシート素材は、相互接続している糸、縫製、接着又は超音波溶接で構成される群から選択される連結によって接合される別々で、間隔の開いた頂部及び底部層を有するチューブ状の編布で構成される。
【００１７】
さらに本発明の他の実施形態によれば、チューブ状のシート素材は、チューブ状の不織布で構成される。
【００１８】
さらに本発明の他の実施形態によれば、チューブ状のシート素材はチューブ状のオープンセル発泡体で構成される。
【００１９】
さらに、本発明の他の実施形態によれば、チューブ状の編まれた布は、必要なだけロールから切断され四肢への複数の適用に適切な長さを得るため、十分な長さの細長いロールに形成されている。
【００２０】
さらに、本発明の他の実施形態によれば、チューブ状の編まれた布は、あらかじめ決められた大きさ及び長さの四肢に適用するための適切な長さにプレカットされて提供される。
【００２１】
さらに、本発明の他の実施形態によれば、チューブ状の編まれた布は、ポリエステル及びポリプロピレンで構成される群から選択される低湿気を回復する疎水性ファイバーで構成される。
【００２２】
さらに、本発明の他の実施形態によれば、チューブ状の編まれた布の構造は、シングルニットリブ構造及びダブルニットリブ構造で構成される群から選択される。
【００２３】
さらに、本発明の他の実施形態によれば、チューブ状の編まれた布は、リブがスリーブの長さに沿って長手方向に延長しているリブニット構造で構成されている。
【００２４】
さらに、本発明の他の実施形態によれば、スリーブは、疎水性、低フィラメント、少なくとも１０本のフィラメントを有し、トータルで５０から２０００の間のデニールを有するマルチフィラメント糸から編まれている。
【００２５】
さらに、本発明の他の実施形態によれば、スリーブは、疎水性、低フィラメント、少なくとも１０本のフィラメントを有し、トータルで５００から１５００の間のデニールを有するマルチフィラメント糸から編まれている。
【００２６】
さらに、本発明の他の実施形態によれば、スリーブは、疎水性、低フィラメント、少なくとも１０本のフィラメントを有し、トータルで５００から２０００の間のデニールを有するマルチフィラメント糸で形成された２×２リブニットである。
【００２７】
さらに、本発明の他の実施形態によれば、耐水性の整形外科用アンダーキャストスリーブが提供される。その構成は、チューブ状シート素材は、耐水特性、スリーブが適用されるキャストと四肢の間の単一層でクッション性と湿気移動の両方を提供するのに十分な厚さを有する押し出しフィラメントで形成されたチューブ状シート素材で形成される。チューブ状のシート素材は、チューブ状シート素材は、相互接続した糸、縫製、接着又は超音波溶接で構成される群から選択される接続によって別々の間隔の有した頂部及び底部層を有するチューブ状の編まれた布で構成される。耐水特性は、押し出し中にフィラメントに適用される耐水フィラー、フィニッシュ又はコーティング、又は押し出し中に耐水性フィニッシュをフィニッシュに適用し、続くスピニング工程中にフィラメントに耐水性フィニッシュを適用し、別々の工程で耐水性フィニッシュを有するフィラメントをコーティングすることで構成される少なくとも１つの工程によって獲得される。耐水性フィニッシュコーティングはワックス、フルオロケミカル又はナノコーティングで構成される。湿気排出チャンネルは、スリーブの長さに沿って長さ方向に、及びスリーブとキャストの間のスペースから外に、四肢から湿気を移動するためにシート素材に形成される。シート素材は、覆うキャストの適用の後に湿気排出チャンネルを維持するために圧縮に十分な抵抗を有する。       
【発明を実施するための最良の形態】
【００２８】
本発明のいくつかの目的は上記で説明してきた。本発明の他の目的及び有利な点は添付された図面と併せて発明を実施することによって見いだせるであろう。
【００２９】
ここで、具体的に図面を参照すると、本発明に係る耐水性整形外科用アンダーキャストスリーブ製品が図１に示され、参照番号１０で全体が示されている。図１に示されている具体的な実施形態はロール形状の製品であり、必要な長さにカットできる。特定の長さを示す印が、切断される場所を示すため製品１０に取り付けられる。この印は、マーク、一連の欠損した編み目、又は特定の長さを示す他の適切な方法でよい。
【００３０】
代わりに、製品１０を１又はそれ以上の長さにプレカットして、そのような形態のもの、例えば、製品１０のプレカットの長さが必要なときに取り除かれるバッグや包装材料にパッケージしてもよい。
【００３１】
ここで、図２を参照すると、ロール形又はプレカットであるかにかかわらず、スリーブ製品１０は耐水性整形用アンダーキャストスリーブ２０を形成するため四肢に取り付けられる。スリーブ２０は、キャストの下面に適切なクッション性を提供し、負傷した四肢の周囲を形づくり易い適切な材料、例えば、発泡体、編布又は伸縮性の織布基材、ポリマーフィルム、プラスチック素材又はこれらの混合物を用いて構成される。図２に示された好適な実施形態では、スリーブ２０は適切な布地で構成され、それは、適切な有機又は無機のファイバー又はそれらの混合物を使用して構成される。スリーブ２０は、好適には、ポリエステル又はポリプロピレンのような湿気を回復する能力が低い、疎水性ファイバーを使用して構成される。布基材は縦編み（シングルニット）又は二重編み（ダブルニット）構造のいずれでもよい。
【００３２】
最も好適な形態は、スリーブ２０は、ポリプロピレンのような、疎水性ファイバーを使用して編まれる。スリーブ２０を編むために選択される糸は、モノフィラメント又はマルチフィラメント又はこれらの混合物でよい。好適な実施形態ではスリーブ２０は、少なくとも１０本のフィラメントを備え、トータルでデニールが５０から２０００、より好ましくは５００から１５００を有する疎水性、低フィラメント、マルチフィラメント糸を使用して編まれる。
【００３３】
布基材は、どのような適切なニット構造及び設計を使用して編むことができ、平編み、ゴム編み、ジャージ編み、ループ／テリー編み及びインターロック編みに限定されないが、これらを含む。  最も好ましい形態としては、スリーブは１×１、２×１、２×２又は３×１リブのようなリブ設計を使用して編まれる。典型的なリブ、２×２リブニットパターンは図２に示される。
【００３４】
アンダーキャストスリーブ２０の耐水性能は、ファイバー、糸のタイプ及びファブリックの構造に依存するであろう。それ故、スリーブ２０はその耐水性を高めるためにさらなる処理又はフィニッシングをしてもよいし、しなくてもよい。例えば、適切なフルオロケミカル、ナノベースの撥水コーティング又はスリーブ２０に耐水性の特性を改善し、付与する他の防水性／耐水性コーティング技術を用いてスリーブ２０を処理してもよい。
【００３５】
代わりに、耐水性スリーブ２０は耐水特性を有する糸を用いて構成されうる。耐水特性を有する糸は様々な方法によって獲得され、限定するものではないが、フィラメントを押し出す間に適切なフィラー、フィニッシュ又はコーティングを組み込むこと、押し出し／スピニング工程中に適切なフィニッシュでフィラメントをコーティングすること、又は分工程でフィラメントをコーティングすることを含む。糸は、ワックス、シリコーン、フルオロケミカル製品で処理してもよいし、又はナノコーティング又は他の適切な耐水性製品でコートしてもよい。
【００３６】
図３に示されるように、スリーブ２０は肌に対して取り付けられ、完全なキャスト構造３０を形成するためにキャストテープ２５の重ねられたラッピングの下に取り付けられる。上で記載したように、スリーブ２０は、メリヤスと従来のキャストシステムのパッドに置き変えられることが意図されている。この理由のために、スリーブは、整形外科用のキャストで適用されるときに肌や骨突起に適切な保護を提供する織物の弾性、嵩、厚さを有して構成される。
【００３７】
開発中、疎水性能を有するスリーブは、肌からのみではなく、スリーブ２０とキャストテープ２５間の空間の外に湿気を運ぶ手段なしで正確に機能しないであろうことが観察されていた。これは編布の具体例において、周囲の空気へキャスト３０の長さに沿って長手方向に湿気を運ぶために、リブ間の排出チャンネル画定するリブニットを利用することによって達成される。水の動き及び布基材の乾燥は、より少ない糸フィラメント及び配向性によって劇的に改善される。これは、肌の範囲に濡れた感覚を保持する水分子を捕まえることができる。
【００３８】
代わりに、スリーブとキャストテープの両方から湿気を取り除く中間チャンネルを画定するファブリックの間隙フェイスを用いたスペーサーファブリック（spacer fabric)が適切かもしれない。スペーサーファブリックは、チューブ状又はチューブ内に形成され、図２に示されたスリーブ２０のように、同様の方法で四肢の形状に形成するため、十分な弾力性を有する。
【００３９】
さらに、別実施例としては、成型されたチャンネル又は溝を有するシートに形成されたオープンセル発泡製品、又は発泡体スリーブ及びキャストテープから湿気を排出するチャンネルとして機能するため、発泡体の表面に形成された他のものを含みうる。シートはチューブとして又はチューブ内に形成され、図２に示されるスリーブ２０と同様の方法で四肢の形状に形成できるように十分な弾力性を有する。
【００４０】
防水性スリーブ２０は、頂部表面と底部表面及びそれらの間を相互結合している一連の糸とを有するチューブ状基材を使用して構成されうる。また、スリーブの頂部及び底部表面は縫製、接着、超音波又は他の適切な手段によって結合されうる。頂部及び底部表面は同じ又は異なる構造及び設計を使用して編まれる。
【００４１】
耐水性アンダーキャストスリーブは上に記載されている。本発明の様々な細部は、本発明の範囲を逸脱しない範囲で変更することができる。さらに、本発明の好適な実施形態の前記述及び本発明を実施するためのベストモードは説明の目的のために提供されるものであり、限定する目的のものではない。
【図面の簡単な説明】
【００４２】
【図１】図１は、スリーブ製品の連続ロールの斜視図である。
【００４３】
【図２】図２は、患者の前腕に配置されたスリーブの斜視図である。
【００４４】
【図３】図３は、四肢に配置されたキャストの斜視図であり、本発明の実施形態に係るスリーブを含む。
【図１】
2009501564.tif 000003
【図２】
2009501564.tif 000004
【図３】
2009501564.tif 000005
【国際調査報告】
2009501564.tif 000006
2009501564.tif 000007